(57)【要約】【課題】  簡易な構成で、音響加工態様の変更時における聴取者の違和感の発生を抑制する。【解決手段】  ｊチャンネルにおける加工態様を変更するに際して、まず、制御処理部１１１が、ｊチャンネルに対応するスピーカへのｊチャンネル信号の振分率を、１から連続的に減少させるとともに、他スピーカへのｊチャンネル信号の振分率を、０から連続的に増加させる。この振分率制御により、ｊチャンネルに対応するスピーカへのｊチャンネル信号の振分率が所定値以下となった時点で、制御処理部１１１が、第１段階制御を終了し、ｊチャンネル用の加工演算部における加工態様の変更を設定する。その後、制御処理部１１１が、ｊチャンネルに対応するスピーカへのｊチャンネル信号の振分率を、１まで連続的に増加させるとともに、他スピーカへのｊチャンネル信号の振分率を、０まで連続的に減少させる。【選択図】  図５
2010103792.tif 000002
【特許請求の範囲】
【請求項１】
音源から供給される複数のチャンネル信号に基づいて、前記複数のチャンネル信号のそれぞれに対応する複数のスピーカから音声を出力する音響装置であって、
前記複数のチャンネル信号のうちの少なくとも１つのチャンネル信号である所定チャンネル信号のそれぞれに対応し、前記所定チャンネル信号に対して音響加工を施す少なくとも１つの加工手段と；
前記加工手段のうち、前記所定チャンネル信号のうちの特定チャンネル信号に対応する特定加工手段による音響加工の態様を変更するに際して、前記特定チャンネル信号に対応する特定スピーカへの前記特定チャンネル信号の振分率と、前記特定スピーカ以外の少なくとも１つのスピーカである他スピーカへの前記特定チャンネル信号の振分率とを制御する制御手段と；を備え、
前記制御手段は、前記特定加工手段による音響加工の態様を変更するに際して、
前記特定スピーカへの前記特定チャンネル信号の振分率を、１から連続的に減少させるとともに、前記他スピーカへの前記特定チャンネル信号の振分率を、０から連続的に増加させる第１段階制御と、
前記特定スピーカへの前記特定チャンネル信号の振分率が所定値以下となった時点で、前記第１段階制御を終了し、前記特定加工手段による音響加工の態様を変更する第２段階制御と、
前記第２段階制御の終了後に、前記特定スピーカへの前記特定チャンネル信号の振分率を、１まで連続的に増加させるとともに、前記他スピーカへの前記特定チャンネル信号の振分率を、０まで連続的に減少させる第３段階制御と、を行う、
ことを特徴とする音響装置。
【請求項２】
前記所定チャンネル信号の数は複数であり、
前記音響加工の態様の変更が必要なチャンネル信号が複数ある場合には、前記制御手段は、前記変更が必要な複数のチャンネル信号ごとに、前記第１〜３段階制御を行う、
ことを特徴とする請求項１に記載の音響装置。
【請求項３】
前記振分率のそれぞれは、前記特定スピーカの配置位置と、前記他スピーカの配置位置と、想定聴取位置との関係を考慮して定められる、ことを特徴とする請求項１又は２に記載の音響装置。
【請求項４】
前記制御手段により指定された前記特定スピーカへの振分率に対応する振分係数を、前記特定チャンネル信号に乗算する第１乗算手段と；
前記制御手段により指定された前記他スピーカへの振分率に対応する振分係数を、前記他チャンネル信号に乗算する第２乗算手段と；
前記第１乗算手段による乗算結果と、前記第２乗算手段による乗算結果とを加算し、加算結果を前記特定加工手段へ送る加算手段と；
を更に備えることを特徴とする請求項１〜３のいずれか一項に記載の音響装置。
【請求項５】
前記制御手段により指定された前記特定スピーカへの振分率に対応する振分係数を、前記特定加工手段からの出力信号に乗算する第１乗算手段と；
前記制御手段により指定された前記他スピーカへの振分率に対応する振分係数を、前記他チャンネル信号に乗算する第２乗算手段と；
特定チャンネル信号と、前記第２乗算手段による乗算結果とを加算し、加算結果を前記特定加工手段へ送る加算手段と；
を更に備えることを特徴とする請求項１〜３のいずれか一項に記載の音響装置。
【請求項６】
前記制御手段により指定された前記特定スピーカへの振分率に対応する振分係数を、入力信号に乗算する第１乗算手段と；
前記制御手段により指定された前記他スピーカへの振分率に対応する振分係数を、前記他チャンネル信号に乗算する第２乗算手段と；
前記特定加工手段からの出力信号と、前記第２乗算手段による乗算結果とを加算し、前記第１乗算手段へ送る加算手段と；
を更に備えることを特徴とする請求項１〜３のいずれか一項に記載の音響装置。
【請求項７】
前記制御手段により指定された前記特定スピーカへの振分率に対応する振分係数を、前記特定加工手段からの出力信号に乗算する第１乗算手段と；
前記制御手段により指定された前記他スピーカへの振分率に対応する振分係数を、前記他チャンネル信号に乗算する第２乗算手段と；
前記第１乗算手段による乗算結果と、前記第２乗算手段による乗算結果とを加算する加算手段と；
を更に備えることを特徴とする請求項１〜３のいずれか一項に記載の音響装置。
【請求項８】
音源から供給される複数のチャンネル信号のうちの少なくとも１つのチャンネル信号である所定チャンネル信号のそれぞれに対応し、前記所定チャンネル信号に対して音響加工を施す少なくとも１つの加工手段を備え、前記複数のチャンネル信号のそれぞれに対応する複数のスピーカから音声を出力する音響装置で使用される音響信号処理方法であって、
前記加工手段のうち、前記所定チャンネル信号のうちの特定チャンネル信号に対応する特定加工手段による音響加工の態様を変更するに際して、
前記特定チャンネル信号に対応する特定スピーカへの前記特定チャンネル信号の振分率を、１から連続的に減少させるとともに、前記特定チャンネル信号に対して予め定義され、前記特定スピーカ以外の少なくとも１つのスピーカである他スピーカへの前記特定チャンネル信号の振分率を、０から連続的に増加させる第１段階制御工程と；
前記特定スピーカへの前記特定チャンネル信号の振分率が所定値以下となった時点で、前記第１段階制御工程を終了し、前記特定加工手段による音響加工の態様を変更する第２段階制御工程と；
前記第２段階制御工程の終了後に、前記特定スピーカへの前記特定チャンネル信号の振分率を、１まで連続的に増加させるとともに、前記他スピーカへの前記特定チャンネル信号の振分率を、０まで連続的に減少させる第３段階制御工程と；
を実行することを特徴とする音響信号処理方法。
【請求項９】
請求項８に記載の音響信号処理方法を演算手段に実行させる、ことを特徴とする音響信号処理プログラム。
【請求項１０】
請求項９に記載の音響信号処理プログラムが、演算手段により読み取り可能に記録されている、ことを特徴とする記録媒体。
【発明の詳細な説明】
【技術分野】
【０００１】
本発明は、音響装置、音響信号処理方法、音響信号処理プログラム、及び、当該音響信号処理プログラムが記録された記録媒体に関する。
【背景技術】
【０００２】
従来から、複数のチャンネル信号を含む音声コンテンツを再生し、複数のスピーカから再生音声を出力する音響装置が広く普及している。こうした音響装置の多くでは、各チャンネル信号に対してイコライザ等の音響効果を付与する手段が用意され、利用者の趣味感に応じて、各チャンネル音声に対して、様々な音響加工を施すことができるようになっている。
【０００３】
かかる音響加工の態様の変更は、例えば、ＤＳＰ（Digital Signal Processor）によるフィルタリング演算等のためのパラメータを変更することにより行われる。こうしたパラメータの変更を行う際に、パラメータ変更前におけるミュート処理、及び、パラメータ変更後におけるミュート処理の解除を行う方式を採用すると、出力音声に不連続点が生じ、耳障りな異音が発生してしまう。
【０００４】
かかる音響加工の態様の変更に伴う異音の発生を防止するための技術が提案されている。こうした技術の一つでは、当該パラメータの変更に先立って、パラメータ変更対象のチャンネル音声の音量を次第に小さくし、当該音量が十分に小さくなった時点で、パラメータ変更を行うようになっている。そして、パラメータ変更後に、当該音量を次第に大きくするようになっている（特許文献１参照：以下、「従来例１」と呼ぶ）。
【０００５】
また、こうした技術の他の一つでは、チャンネル信号ごとに、当該チャンネル信号をそのまま通過させる第１経路と、当該チャンネル信号に加算すべき効果音を生成するための少なくとも１つの第２経路とを用意する。ここで、第１経路を介した信号と、第２経路を介した信号との重み付け加算による合成に際して、重みを制御するようになっている。そして、効果音の態様を変更する場合には、当該第２経路に対応する重みを次第に小さくするともに、当該第１経路に対応する重みを次第に大きくし、当該第２経路に対応する重みが十分に小さくなった時点で、パラメータ変更を行うようになっている。そして、パラメータ変更後に、当該第２経路に対応する重みを次第に大きくするともに、当該第１経路に対応する重みを次第に小さくするようになっている（特許文献２参照：以下、「従来例２」と呼ぶ）。
【０００６】
【特許文献１】特開平５−２８９６６６号公報
【特許文献２】特許第３００８７２６号公報
【発明の開示】
【発明が解決しようとする課題】
【０００７】
上述した従来例１の技術では、音響加工の態様の変更の際、当該変更対象のチャンネル信号に対応する出力音声における不連続点の発生は防止又は抑制される。しかしながら、音響加工の態様の変更の際には、当該変更対象のチャンネル音声が途切れたり、極端に音量が小さくなったりしてしまい、聴取者に違和感を与えることになってしまう。
【０００８】
また、上述した従来例２の技術は、効果音の重畳のための技術であり、チャンネル信号ごとに複数の経路を用意することが必要になる。このため、従来例２の技術は、周波数特性等の加工をして当該加工結果を出力音声とする場合に最適化された技術とはいえず、また、例えば、５．１チャンネルサラウンド方式等のマルチチャンネルサラウンド方式を採用する装置に従来例２の技術を適用すると、装置構成が複雑なものになってしまう。
【０００９】
このため、マルチチャンネルサラウンド方式を採用した場合であっても、装置構成の複雑化を抑制しつつ、チャンネル信号に対して付与する音響効果を変更する際に、異音の発生や、音響効果の変更対象であるチャンネルに対応する音声の途切れ等を防止することができる技術が求められている。かかる要請に応えることが、本発明が解決すべき課題の一つとして挙げられる。
【００１０】
本発明は、上記の事情を鑑みてなされたものであり、簡易な構成で、音響効果の変更時における聴取者の違和感の発生を抑制できる複数スピーカを有する新たな音響装置及び音響信号処理方法を提供することを目的とする。
【課題を解決するための手段】
【００１１】
請求項１に記載の発明は、音源から供給される複数のチャンネル信号に基づいて、前記複数のチャンネル信号のそれぞれに対応する複数のスピーカから音声を出力する音響装置であって、前記複数のチャンネル信号のうちの少なくとも１つのチャンネル信号である所定チャンネル信号のそれぞれに対応し、前記所定チャンネル信号に対して音響加工を施す少なくとも１つの加工手段と；前記加工手段のうち、前記所定チャンネル信号のうちの特定チャンネル信号に対応する特定加工手段による音響加工の態様を変更するに際して、前記特定チャンネル信号に対応する特定スピーカへの前記特定チャンネル信号の振分率と、前記特定スピーカ以外の少なくとも１つのスピーカである他スピーカへの前記特定チャンネル信号の振分率とを制御する制御手段と；を備え、前記制御手段は、前記特定加工手段による音響加工の態様を変更するに際して、前記特定スピーカへの前記特定チャンネル信号の振分率を、１から連続的に減少させるとともに、前記他スピーカへの前記特定チャンネル信号の振分率を、０から連続的に増加させる第１段階制御と、前記特定スピーカへの前記特定チャンネル信号の振分率が所定値以下となった時点で、前記第１段階制御を終了し、前記特定加工手段による音響加工の態様を変更する第２段階制御と、前記第２段階制御の終了後に、前記特定スピーカへの前記特定チャンネル信号の振分率を、１まで連続的に増加させるとともに、前記他スピーカへの前記特定チャンネル信号の振分率を、０まで連続的に減少させる第３段階制御とを行う、ことを特徴とする音響装置である。
【００１２】
請求項８に記載の発明は、音源から供給される複数のチャンネル信号のうちの少なくとも１つのチャンネル信号である所定チャンネル信号のそれぞれに対応し、前記所定チャンネル信号に対して音響加工を施す少なくとも１つの加工手段を備え、前記複数のチャンネル信号のそれぞれに対応する複数のスピーカから音声を出力する音響装置で使用される音響信号処理方法であって、前記加工手段のうち、前記所定チャンネル信号のうちの特定チャンネル信号に対応する特定加工手段による音響加工の態様を変更するに際して、前記特定チャンネル信号に対応する特定スピーカへの前記特定チャンネル信号の振分率を、１から連続的に減少させるとともに、前記特定チャンネル信号に対して予め定義され、前記特定スピーカ以外の少なくとも１つのスピーカである他スピーカへの前記特定チャンネル信号の振分率を、０から連続的に増加させる第１段階制御工程と；前記特定スピーカへの前記特定チャンネル信号の振分率が所定値以下となった時点で、前記第１段階制御工程を終了し、前記特定加工手段による音響加工の態様を変更する第２段階制御工程と；前記第２段階制御工程の終了後に、前記特定スピーカへの前記特定チャンネル信号の振分率を、１まで連続的に増加させるとともに、前記他スピーカへの前記特定チャンネル信号の振分率を、０まで連続的に減少させる第３段階制御工程と；を実行することを特徴とする音響信号処理方法である。
【００１３】
請求項９に記載の発明は、請求項８に記載の音響信号処理方法を演算手段に実行させる、ことを特徴とする音響信号処理プログラムである。
【００１４】
請求項１０に記載の発明は、請求項９に記載の音響信号処理プログラムが、演算手段により読み取り可能に記録されている、ことを特徴とする記録媒体である。
【発明を実施するための最良の形態】
【００１５】
以下、本発明の実施形態を、添付図面を参照して説明する。なお、以下の説明及び図面においては、同一又は同等の要素には同一符号を付し、重複する説明を省略する。
【００１６】
［第１実施形態］
まず、本発明の第１実施形態を、図１〜図１０を参照して説明する。なお、本第１実施形態では、５．１チャンネルサラウンド方式を採用する場合を例示して説明する。
【００１７】
＜構成＞
図１には、第１実施形態に係る音響装置１００Ａの概略的な構成がブロック図にて示されている。
【００１８】
この図１に示されるように、音響装置１００Ａは、信号処理ユニット１１０Ａと、音源ユニット１２０とを備えている。
【００１９】
また、音響装置１００Ａは、スピーカ１３０C、スピーカ１３０L、スピーカ１３０R、スピーカ１３０SL、スピーカ１３０SR及びスピーカ１３０SWを備えている。
【００２０】
ここで、スピーカ１３０Cは、センタスピーカ（以下、「Ｃスピーカ」と呼ぶ）であり、スピーカ１３０Lはレフトスピーカ（以下、「Ｌスピーカ」と呼ぶ）であり、スピーカ１３０Rはライトスピーカ（以下、「Ｒスピーカ」と呼ぶ）である。また、スピーカ１３０SLはサラウンドレフトスピーカ（以下、「ＳＬスピーカ」と呼ぶ）であり、スピーカ１３０SRはサラウンドライトスピーカ（以下、「ＳＲスピーカ」と呼ぶ）であり、スピーカ１３０SWはサブウーハスピーカ（以下、「ＳＷスピーカ」と呼ぶ）である。
【００２１】
さらに、音響装置１００Ａは、表示ユニット１４０と、操作入力ユニット１５０とを備えている。
【００２２】
なお、信号処理ユニット１１０Ａ以外の要素１２０，１３０C〜１３０SW，１４０，１５０は、信号処理ユニット１１０Ａに接続されている。
【００２３】
信号処理ユニット１１０Ａは、音源ユニット１２０からのコンテンツデータＣＴＤの処理を行って、その処理結果である音声出力信号ＡＯＳC〜ＡＯＳSWを、スピーカ１３０C〜１３０SWに供給する。この信号処理ユニット１１０Ａの詳細については、後述する。
【００２４】
上記の音源ユニット１２０は、信号処理ユニット１１０Ａからの読取指令ＣＳＬによる制御のもとで、コンテンツデータＣＴＤを出力する。なお、本第１実施形態では、コンテンツデータＣＴＤは、５．１チャンネルサラウンド方式における６チャンネルの信号を担ったものとなっている。
【００２５】
すなわち、コンテンツデータＣＴＤは、センタチャンネル（以下、「Ｃチャンネル」と呼ぶ）信号、レフトチャンネル（以下、「Ｌチャンネル」ともいう）信号及びライトチャンネル（以下、「Ｒチャンネル」ともいう）信号を担っている。さらに、コンテンツデータＣＴＤは、サラウンドレフトチャンネル（以下、「ＳＬチャンネル」と呼ぶ）信号、サラウンドライトチャンネル（以下、「ＳＲチャンネル」ともいう）信号及びサブウーハチャンネル（以下、「ＳＷチャンネル」ともいう）信号を担っている。なお、ｊ（ｊ＝Ｃ〜ＳＷ）チャンネル信号は、スピーカ１３０jから再生出力することが、音声コンテンツの製作者により意図されている信号である。
【００２６】
なお、例えば、音響装置１００Ａが、ＤＶＤ（Digital Versatile Disk）等の記録媒体に記録された音声コンテンツを再生する装置である場合には、音源ユニット１２０は、当該記録媒体から音声コンテンツを読み取る読取手段を備える。また、音響装置１００Ａが、放送波の受信により取得した音声コンテンツを再生する装置である場合には、音源ユニット１２０は、放送波の受信結果から音声コンテンツデータを抽出するコンテンツ抽出手段を備えることになる。
【００２７】
音源ユニット１２０から出力されたコンテンツデータ信号ＣＴＤは、信号処理ユニット１１０Ａに供給される。
【００２８】
上記のスピーカ１３０C〜１３０SWのそれぞれは、信号処理ユニット１１０Ａから送られてきた音声出力信号ＡＯＳC〜ＡＯＳSWに従って、楽曲等を再生して出力する。これらのスピーカ１３０C〜１３０SWは、例えば、想定聴取位置を位置ＰLSとして、図２に示されるように配置されている。なお、本第１実施形態では、図２において、「θ1≒３０°」及び「θ2＝１００〜１２０°」とされており、ＩＴＵ（国際電気通信連合）−Ｒ勧告のＢＳ．７７５−１規格に準拠するようになっている。
【００２９】
図１に戻り、上記の表示ユニット１４０は、例えば、（ｉ）液晶パネル、有機ＥＬ（Electro Luminescence）パネル、ＰＤＰ（Plasma Display Panel）等の表示デバイスと、（ii）信号処理ユニット１１０Ａから送出された表示制御データに基づいて、表示ユニット１４０全体の制御を行うグラフィックレンダラ等の表示コントローラと、（iii）表示画像データを記憶する表示画像メモリ等を備えて構成されている。この表示ユニット１４０は、信号処理ユニット１１０Ａからの表示データＩＭＤに従って、操作ガイダンス情報等を表示する。
【００３０】
上記の操作入力ユニット１５０は、音響装置１００Ａの本体部に設けられたキー部、及び／又はキー部を備えるリモート入力装置等により構成される。ここで、本体部に設けられたキー部としては、表示ユニット１４０の表示デバイスに設けられたタッチパネルを用いることができる。なお、キー部を有する構成に代えて、又は併用して音声認識技術を利用して音声にて入力する構成を採用することもできる。
【００３１】
この操作入力ユニット１５０を利用者が操作することにより、音響装置１００Ａの動作内容の設定が行われる。例えば、音声コンテンツの再生指令、各チャンネルにおける音声加工の態様の指定等の利用者による入力が、操作入力ユニット１５０を利用して行われる。こうした入力内容は、操作入力データＩＰＤとして、操作入力ユニット１５０から信号処理ユニット１１０Ａへ向けて送られる。
【００３２】
次に、上記の信号処理ユニット１１０Ａについて説明する。上述したように、信号処理ユニット１１０Ａは、音源ユニット１２０からのコンテンツデータＣＴＤの処理を行って、その処理結果である音声出力信号ＡＯＳC〜ＡＯＳSWを、スピーカ１３０C〜１３０SWに供給するとともに、音響装置１００Ａの全体を統括制御する。この信号処理ユニット１１０Ａは、制御手段としての制御処理部１１１と、チャンネル分離部１１２と、信号加工部１１３Ａと、アナログ処理部１１４とを備えている。
【００３３】
上記の制御処理部１１１は、操作入力ユニット１５０に入力された指令に基づいて、音源ユニット１２０、表示ユニット１４０、信号加工部１１３Ａ及びアナログ処理部１１４を制御する。この制御処理部１１１の詳細については、後述する。
【００３４】
上記のチャンネル分離部１１２は、音源ユニット１２０からのコンテンツデータＣＴＤを受ける。そして、チャンネル分離部１１２は、コンテンツデータＣＴＤを展開し、５．１チャンネルサラウンド方式におけるＣ〜ＳＷチャンネルに対応する６個の分離チャンネル信号ＳＣＤC〜ＳＣＤSWに分離する。このようにして分離された分離チャンネル信号ＳＣＤC〜ＳＣＤSWは、信号加工部１１３Ａへ送られる。
【００３５】
上記の信号加工部１１３Ａは、分離チャンネル信号ＳＣＤC〜ＳＣＤSWを受ける。そして、信号加工部１１３Ａは、制御処理部１１１からの振分制御信号ＤＳＣ及び加工制御信号ＭＤＣに従って、分離チャンネル信号ＳＣＤC〜ＳＣＤSWから、スピーカ１３０C〜１３０SWに対応するチャンネル処理信号ＰＣＤC〜ＰＣＤSWを生成する。かかる機能を有する信号加工部１１３Ａは、図３に示されるように、振分処理部２１０Ａと、加工処理部２２０Ａとを備えている。
【００３６】
上記の振分処理部２１０Ａは、分離チャンネル信号ＳＣＤC〜ＳＣＤSWから振分信号ＤＡＤC〜ＤＡＤSWを生成する。この振分処理部２１０Ａは、個別振分部２１１ＡC〜２１１ＡSWを備えている。
【００３７】
なお、本第１実施形態においては、後述する各チャンネル音声に対する音響加工の態様を変更する際における加工対象のチャンネル音声の振分は、図４に示されるように行われるようになっている。すなわち、Ｃ〜ＳＷチャンネル音声のそれぞれが、音響加工の態様を変更する際における加工対象の特定チャンネル音声である場合に、当該特定チャンネル音声は、後述するように、特定チャンネルと、特定チャンネル以外の２つのチャンネルとに振り分けられるようになっている。
【００３８】
より具体的には、本第１実施形態では、Ｃチャンネル音声は、Ｃ，Ｌ，Ｒチャンネルに振り分けられる。また、Ｌチャンネル音声は、Ｌ，Ｒ，ＳＬチャンネルに振り分けられる。また、Ｒチャンネル音声は、Ｌ，Ｒ，ＳＲチャンネルに振り分けられる。また、ＳＬチャンネル音声は、Ｌ，ＳＬ，ＳＲチャンネルに振り分けられる。また、ＳＲチャンネル音声は、Ｒ，ＳＬ，ＳＲチャンネルに振り分けられる。そして、ＳＷチャンネル音声は、ＳＬ，ＳＲ，ＳＷチャンネルに振り分けられる。
【００３９】
こうした振分の態様は、各スピーカの再生出力能力（再生可能音域等）を考慮しつつ、想定聴取位置で聴取する場合において、振分を行わないときの音像と振分時の音像とを極力近似させるという観点から、実験、シミュレーション、経験等に基づいて、予め定められる。
【００４０】
図３に戻り、上記の個別振分部２１１Ａj（ｊ＝Ｃ〜ＳＷ）のそれぞれは、チャンネル分離部１１２からの分離チャンネル信号ＳＣＤjを受けるとともに、制御処理部１１１からの振分制御信号ＤＳＣの一部である振分制御信号ＤＳＣjを受ける。そして、個別振分部２１１Ａjは、分離チャンネル信号ＳＣＤjを、振分制御信号ＤＳＣjによる振分指定に従って振り分け、振分信号ＤＡＤjを生成する。かかる機能を有する個別振分部２１１Ａjは、図５に示されるように、第１乗算手段としての乗算部２１６0と、第２乗算手段としての乗算部２１６1，２１６2とを備えている。
【００４１】
なお、振分信号ＤＡＤjは、個別振分信号ＤＳＤj,0〜ＤＳＤj,2の３個の信号から構成されるようになっている。
【００４２】
上記の個別振分部２１１Ａjにおける乗算部２１６k（ｋ＝０〜２）のそれぞれは、分離チャンネル信号ＳＣＤjを受けるとともに、制御処理部１１１からの振分制御信号ＤＳＣjを構成する個別振分制御信号ＤＳＣj,kを受ける。そして、当該乗算部２１６kは、分離チャンネル信号ＳＣＤjに、個別振分制御信号ＤＳＣj,kにより指定された振分係数ＤＣＣj,kを乗じる。この乗算結果は、個別振分信号ＤＳＤj,kとして、加工処理部２２０Ａへ送られる。ここで、分離チャンネル信号ＳＣＤj（すなわち、ｊチャンネル）について後述する振分処理が行われない期間においては、振分係数ＤＣＣj,0は「１」に設定され、振分係数ＤＣＣj,1，ＤＣＣj,2は「０」に設定されるようになっている。
【００４３】
なお、個別振分信号ＤＳＤj,0は、分離チャンネル信号ＳＣＤjのｊチャンネルへの振分信号となっている。また、個別振分信号ＤＳＤj,1，ＤＳＤj,2は、分離チャンネル信号ＳＣＤjのｊチャンネル以外のチャンネルへの振分信号となっている。
【００４４】
ここで、個別振分信号ＤＳＤC,0は、分離チャンネル信号ＳＣＤCのＣチャンネルへの振分信号となっている。そして、個別振分信号ＤＳＤC,1，ＤＳＤC,2は、分離チャンネル信号ＳＣＤCのＬ，Ｒチャンネルへの振分信号となっている。
【００４５】
また、個別振分信号ＤＳＤL,0は、分離チャンネル信号ＳＣＤLのＬチャンネルへの振分信号となっている。そして、個別振分信号ＤＳＤL,1，ＤＳＤL,2は、分離チャンネル信号ＳＣＤLのＲ，ＳＬチャンネルへの振分信号となっている。
【００４６】
また、個別振分信号ＤＳＤR,0は、分離チャンネル信号ＳＣＤRのＲチャンネルへの振分信号となっている。そして、個別振分信号ＤＳＤR,1，ＤＳＤR,2は、分離チャンネル信号ＳＣＤRのＬ，ＳＲチャンネルへの振分信号となっている。
【００４７】
また、個別振分信号ＤＳＤSL,0は、分離チャンネル信号ＳＣＤSLのＳＬチャンネルへの振分信号となっている。そして、個別振分信号ＤＳＤSL,1，ＤＳＤSL,2は、分離チャンネル信号ＳＣＤSLのＬ，ＳＲチャンネルへの振分信号となっている。
【００４８】
また、個別振分信号ＤＳＤSR,0は、分離チャンネル信号ＳＣＤSRのＳＲチャンネルへの振分信号となっている。そして、個別振分信号ＤＳＤSR,1，ＤＳＤSR,2は、分離チャンネル信号ＳＣＤSRのＲ，ＳＬチャンネルへの振分信号となっている。
【００４９】
また、個別振分信号ＤＳＤSW,0は、分離チャンネル信号ＳＣＤSWのＳＷチャンネルへの振分信号となっている。そして、個別振分信号ＤＳＤSW,1，ＤＳＤSW,2は、分離チャンネル信号ＳＣＤSWのＳＬ，ＳＲチャンネルへの振分信号となっている。
【００５０】
なお、以下の説明においては、個別振分信号ＤＳＤj,k（ｊ＝Ｃ〜ＳＷ，ｋ＝０〜２）を「個別振分信号ＱＡＤp,j」とも記すものとする、ここで、個別振分信号ＱＡＤp,jは、ｐチャンネル信号のｊチャンネルへの振分信号を意味している。また、ｊチャンネルへの個別振分信号をまとめて、「振分信号ＱＡＤj」と記すものとする、
【００５１】
すなわち、振分信号ＱＡＤCは、１個の個別振分信号ＱＡＤC,C（＝ＤＡＤC,0）から構成されている。振分信号ＱＡＤLは、４個の個別振分信号ＱＡＤC,L（＝ＤＡＤC,1），ＱＡＤL,L（＝ＤＡＤL,0），ＱＡＤR,L（＝ＤＡＤR,1），ＱＡＤSL,L（＝ＤＡＤSL,1）から構成されている。
【００５２】
振分信号ＱＡＤRは、４個の個別振分信号ＱＡＤC,R（＝ＤＡＤC,2），ＱＡＤL,R（＝ＤＡＤL,1），ＱＡＤR,R（＝ＤＡＤR,0），ＱＡＤSR,R（＝ＤＡＤSR,1）から構成されている。振分信号ＱＡＤSLは、４個の個別振分信号ＱＡＤL,SL（＝ＤＡＤL,2），ＱＡＤSL,SL（＝ＤＡＤSL,0），ＱＡＤSR,SL（＝ＤＡＤSR,2），ＱＡＤSW,SL（＝ＤＡＤSW,1）から構成されている。
【００５３】
振分信号ＱＡＤSRは、４個の個別振分信号ＱＡＤR,SR（＝ＤＡＤR,2），ＱＡＤSL,SR（＝ＤＡＤSL,2），ＱＡＤSR,SR（＝ＤＡＤSR,0），ＱＡＤSW,SR（＝ＤＡＤSW,2）から構成されている。振分信号ＱＡＤSWは、１個の個別振分信号ＱＡＤSW,SW（＝ＤＡＤSW,0）から構成されている。
【００５４】
図３に戻り、上記の加工処理部２２０Ａは、振分処理部２１０Ａからの振分信号ＱＡＤC〜ＱＡＤSWを受けるとともに、個別加工制御信号ＭＤＣC〜ＭＤＣSWから構成される制御処理部１１１からの加工制御信号ＭＤＣを受け、チャンネル処理信号ＰＣＤC〜ＰＣＤSWを生成する。かかる機能を有する加工処理部２２０Ａは、個別加工部２２１ＡC〜２２１ＡSWを備えている。
【００５５】
上記の個別加工部２２１Ａj（ｊ＝Ｃ〜ＳＷ）のそれぞれは、振分信号ＱＡＤjを受けるとともに、個別加工制御信号ＭＤＣjを受ける。そして、個別加工部２２１Ａjは、チャンネル処理信号ＰＣＤjを生成する。こうして生成されたチャンネル処理信号ＰＣＤjは、アナログ処理部１１４へ送られる。
【００５６】
個別加工部２２１Ａj（ｊ＝Ｃ〜ＳＷ）のうちの個別加工部２２１Ａq（ｑ＝Ｃ，ＳＷ）のそれぞれは、図６に示されるように、加工手段としての加工演算部２２５qを備えている。この加工演算部２２５qは、振分信号ＱＡＤq（＝ＱＡＤq,q）を受けるとともに、個別加工制御信号ＭＤＣqを受ける。そして、加工演算部２２５qは、個別加工制御信号ＭＤＣqにより指定された加工パラメータの値に従って、周波数特性、ラウドネス特性、位相特性等に関する加工処理を振分信号ＱＡＤqに施して、チャンネル処理信号ＰＣＤqを生成する。
【００５７】
個別加工部２２１Ａj（ｊ＝Ｃ〜ＳＷ）のうちの個別加工部２２１Ａr（ｒ＝Ｌ〜ＳＲ）のそれぞれは、図７に示されるように、加算手段としての加算部２２６と、加工手段としての加工演算部２２５rとを備えている。
【００５８】
上記の加算部２２６は、振分信号ＱＡＤrを受ける。そして、加算部２２６は、振分信号ＱＡＤrに含まれる４個の個別振分信号を加算する。この加算部２２６による加算結果は、加工演算部２２５rへ送られる。なお、図７においては、振分信号ＱＡＤrに含まれる４個の個別振分信号が、個別振分信号ＱＡＤx1,r〜ＱＡＤx4,rと表記されている。
【００５９】
上記の加工演算部２２５rは、加算部２２６による加算結果を受けるとともに、個別加工制御信号ＭＤＣrを受ける。そして、加工演算部２２５rは、個別加工制御信号ＭＤＣrにより指定された加工パラメータの値に従って、周波数特性、ラウドネス特性、位相特性等に関する加工処理を当該加算結果に施して、チャンネル処理信号ＰＣＤrを生成する。
【００６０】
図１に戻り、上記のアナログ処理部１１４は、信号加工部１１３Ａからのチャンネル処理信号ＰＣＤC〜ＰＣＤSWを受ける。そして、アナログ処理部１１４は、制御処理部１１１による制御のもとで、音声出力信号ＡＯＳC〜ＡＯＳSWを生成し、スピーカ１３０C〜１３０SWへ送る。かかる機能を有するアナログ処理部１１４は、図８に示されるように、ＤＡ（Digital to Analogue）変換部２４１と、音量調整部２４２と、パワー増幅部２４３とを備えている。
【００６１】
上記のＤＡ変換部２４１は、信号加工部１１３Ａからのチャンネル処理信号ＰＣＤC〜ＰＣＤSWを受ける。そして、ＤＡ変換部２４１は、チャンネル処理信号ＰＣＤC〜ＰＣＤSWをアナログ信号に変換する。このＤＡ変換部２４１は、６種のデジタル信号に対応して、互いに同様に構成された６個のＤＡ変換器を備えている。ＤＡ変換部２４１による変換結果は、音量調整部２４２へ送られる。
【００６２】
上記の音量調整部２４２は、ＤＡ変換部２４１による変換結果であるアナログ信号を受ける。そして、音量調整部２４２は、制御処理部１１１からの音量調整指令ＶＬＣに従って、受信したアナログ信号に対して音量調整処理を施す。この音量調整部２４２は、本第１実施形態では、６種のアナログ信号に対応して、互いに同様に構成された６個の電子ボリューム素子等を備えて構成されている。音量調整部２４２による調整結果である音量調整信号は、パワー増幅部２４３へ送られる。
【００６３】
上記のパワー増幅部２４３は、音量調整部２４２からの音量調整信号を受ける。そして、パワー増幅部２４３は、音量調整信号をパワー増幅する。このパワー増幅部２４３は、６種の音量調整信号に対応して、互いに同様に構成された６個のパワー増幅器を備えている。パワー増幅部２４３による増幅結果である音声出力信号ＡＯＳC〜ＡＯＳSWは、スピーカ１３０C〜１３０SWへ送られる。
【００６４】
図１に戻り、次に、制御処理部１１１について説明する。この制御処理部１１１は、上述した他の構成要素を制御しつつ、音響装置１００Ａの機能を発揮させる。この制御処理部１１１は、表示データＩＭＤを出力し、利用者が再生すべき音声コンテンツの指定を支援するための案内画面を表示ユニット１４０に表示させる。そして、操作入力ユニット１５０から音声コンテンツを指定した再生指令が入力されると、制御処理部１１１は、読取指令ＣＳＬを音源ユニット１２０へ向けて発行し、コンテンツデータＣＴＤの読み取りを制御する。
【００６５】
また、制御処理部１１１は、加工制御信号ＭＤＣを発行し、信号加工部１１３Ａにおいて分離チャンネル信号ＳＣＤC〜ＳＣＤSWに対して施される加工の態様を制御する。この加工の態様の制御に際して、制御処理部１１１は、操作入力ユニット１５０に入力された加工態様の指定に従って加工制御信号ＭＤＣを生成し、信号加工部１１３Ａへ向けて送る。
【００６６】
こうした加工制御信号ＭＤＣの発行の前後において、制御処理部１１１は、振分制御信号ＤＳＣを発行し、加工制御信号ＭＤＣの発行により加工態様の変更対象となる分離チャンネル信号の振分率を制御する。この振分制御処理については後述する。
【００６７】
なお、制御処理部１１１は、複数の分離チャンネル信号に対する加工態様の変更が必要となった場合には、１つの分離チャンネル信号ごとに、順次、加工態様の変更を行うようになっている。
【００６８】
また、制御処理部１１１は、音量調整部２４２を制御して、スピーカ１３０C〜１３０SWからの出力音量を調整する。この出力音量の制御に際して、制御処理部１１１は、操作入力ユニット１５０に入力された音量指定に従って音量調整指令ＶＬＣを生成し、音量調整部２４２へ向けて送る。
【００６９】
＜動作＞
次に、上記のように構成された音響装置１００Ａの動作について、分離チャンネル信号ＳＣＤC〜ＳＣＤSWに対する加工態様の変更処理に主に着目して説明する。
【００７０】
利用者が操作ユニット１５０を操作して、分離チャンネル信号ＳＣＤC〜ＳＣＤSWの少なくも１つに対する加工態様の変更が指定されると、その旨が、操作入力データＩＰＤとして、制御処理部１１１に報告される（図１参照）。この報告を制御処理部１１１が受けると、指定された分離チャンネル信号に対する加工態様の変更処理が開始される。
【００７１】
かかる加工態様の変更処理に際しては、図９に示されるように、まず、ステップＳ１１において、制御処理部１１１が、受信した加工態様の変更の指定を解析して、加工態様の変更対象とすべきチャンネル及び当該チャンネルごとの変更内容を特定する。引き続き、ステップＳ１２において、制御処理部１１１が、最初に加工態様の変更を行うチャンネル（最初の変更対象チャンネル）を特定する。ここで、変更対象とすべきチャンネルが１つである場合には、その１つの変更対象とすべきチャンネルが、最初の変更対象チャンネルとして、特定される。また、変更対象とすべきチャンネルが複数である場合には、所定の優先度、例えば、Ｃ〜ＳＷチャンネルの順の優先度で、最初の変更対象チャンネルを特定する。
【００７２】
次に、ステップＳ１３において、加工態様の変更対象として特定されたチャンネルに関する第１段階制御の処理としての加工態様の変更前振分処理が行われる。この変更前振分処理に際しては、制御処理部１１１が、特定されたチャンネルをｊチャンネルとして、分離チャンネル信号ＳＣＤjの振分係数ＤＣＣjにおける個別振分係数ＤＣＣj,0〜ＤＣＣj,2が、図１０（Ａ）〜（Ｃ）の時刻Ｔ1〜Ｔ2の期間（期間長Ｔ12）について例示される変化をするように、振分制御信号ＤＳＣjを順次生成し、個別振分部２１１Ａjへ送る（図３参照）。
【００７３】
かかる変更前振分処理により、個別振分係数ＤＣＣj,0は、図１０（Ａ）に例示されるように、「１」から「値ＬＣj,0（≧０）」へ連続的に減少する。また、個別振分係数ＤＣＣj,1は、図１０（Ｂ）に例示されるように、「０」から「値ＨＣj,1（＞０）」へ連続的に増加する。また、個別振分係数ＤＣＣj,2は、図１０（Ｃ）に例示されるように、「０」から「値ＨＣj,2（＞０）」へ連続的に増加する。
【００７４】
この結果、スピーカ１３０jから出力される音声の音量は、連続的に減少する。一方、分離チャンネル信号ＳＣＤjが振り分けられるスピーカ１３０j以外の２つのスピーカ（例えば、ｊ＝Ｃの場合には、スピーカ１３０L，１３０R）から出力される分離チャンネル信号ＳＣＤjに由来する音声成分の音量は連続的に増加する。
【００７５】
なお、期間長Ｔ12は、振分による利用者の違和感の発生の防止及び迅速な処理の観点から、実験、シミュレーション、経験等に基づいて、予め定められる。また、値ＬＣj,0は、後述する加工態様の変更による異音の発生量を十分に抑制するできる所定値以下とできるという観点から、実験、シミュレーション、経験等に基づいて、予め定められる。また、変更前処理中の値ＨＣj,1，ＨＣj,2及び個別振分係数ＤＣＣj,k（ｋ＝０〜２）の変化態様は、想定聴取位置ＰLSで聴取する聴取者にとって、変更前振分処理の前のスピーカ１３０jからの出力音声の音像と、変更前振分処理中における分離チャンネル信号ＳＣＤjに由来する３つの音声が形成する音像とを極力近似したものとするという観点から、実験、シミュレーション、経験等に基づいて、予め定められる。
【００７６】
図９に戻り、以上のようにして行われるステップＳ１３の処理が終了すると、処理はステップＳ１４へ進む。このステップＳ１４では、加工態様の変更対象として特定されているチャンネルに関する第２段階制御の処理としての加工態様の変更処理が行われる。この加工態様の変更処理では、制御処理部１１１が、上述したステップＳ１１において特定された加工態様の変更内容に基づいて、変更対象となっているｊチャンネルに対する新たな個別加工制御信号ＭＤＣjを生成し、個別加工部２２１Ａjへ送る（図３参照）。この結果、個別加工部２２１Ａjにおける加工演算部２２５jにおける音響加工の態様が、利用者により指定された加工態様に変更される。
【００７７】
なお、上述したように、変更対象となっているｊチャンネルに対応する分離チャンネル信号ＳＣＤjに由来するスピーカ１３０jからの出力音声の音量は、当該変更が行われても、異音の発生量を十分に抑制可能なように低減されているので、当該変更の実行による利用者の違和感の発生を防止できる。
【００７８】
次いで、ステップＳ１５において、加工態様の変更対象として特定されているチャンネルに関する第３段階制御の処理としての加工態様の変更後振分処理が行われる。この変更後振分処理に際しては、制御処理部１１１が、特定されたｊチャンネルについて、分離チャンネル信号ＳＣＤjの振分係数ＤＣＣjにおける個別振分係数ＤＣＣj,0〜ＤＣＣj,2が、図１０（Ａ）〜（Ｃ）の時刻Ｔ3〜Ｔ4の期間（期間長Ｔ34）について例示される変化をするように、振分制御信号ＤＳＣjを順次生成し、個別振分部２１１Ａjへ送る（図３参照）。
【００７９】
かかる変更後振分処理により、個別振分係数ＤＣＣj,0は、図１０（Ａ）に例示されるように、「値ＬＣj,0（≧０）」から「１」へ連続的に増加する。また、個別振分係数ＤＣＣj,1は、図１０（Ｂ）に例示されるように、「値ＨＣj,1（＞０）」から「０」へ連続的に減少する。また、個別振分係数ＤＣＣj,2は、図１０（Ｃ）に例示されるように、「値ＨＣj,2（＞０）」から「０」へ連続的に減少する。
【００８０】
この結果、スピーカ１３０jから出力される音声の音量は、連続的に増加する。一方、分離チャンネル信号ＳＣＤjが振り分けられるスピーカ１３０j以外の２つのスピーカ（例えば、ｊ＝Ｃの場合には、スピーカ１３０L，１３０R）から出力される分離チャンネル信号ＳＣＤjに由来する音声成分の音量は連続的に減少する。
【００８１】
なお、期間長Ｔ34は、振分による利用者の違和感の発生の防止及び迅速な処理の観点から、実験、シミュレーション、経験等に基づいて、予め定められる。また、変更後処理中の値ＨＣj,1，ＨＣj,2及び個別振分係数ＤＣＣj,k（ｋ＝０〜２）の変化態様は、想定聴取位置ＰLSで聴取する聴取者にとって、変更前振分処理の前のスピーカ１３０jからの出力音声の音像と、変更前振分処理中における分離チャンネル信号ＳＣＤjに由来する３つの音声が形成する音像とを極力近似したものとするという観点から、実験、シミュレーション、経験等に基づいて、予め定められる。
【００８２】
こうして加工態様の変更対象の個別のチャンネルについての加工態様の変更処理が終了すると、処理はステップＳ１６へ進む。このステップＳ１６では、制御処理部１１１が、ステップＳ１１において特定された変更対象とすべきチャンネルの全てについて、加工態様の変更が終了したか否かを判定する。この判定の結果が否定的であった場合（ステップＳ１６：Ｎ）には、処理はステップＳ１７へ進む。
【００８３】
ステップＳ１７では、制御処理部１１１が、加工態様の変更が終了していないチャンネルの中から、所定の優先度に従って、次の変更対象チャンネルを特定する。そして、処理はステップＳ１３へ戻る。
【００８４】
以後、ステップＳ１６における判定の結果が肯定的となるまで、ステップＳ１３〜Ｓ１７の処理が繰り返される。そして、ステップＳ１６における判定の結果が肯定的となると（ステップＳ１６：Ｙ）、利用者により指定された分離チャンネル信号に対する加工態様の変更処理が終了する。
【００８５】
上記のような加工態様の変更処理が、利用者による加工態様の変更指定に対応して行われつつ、音響装置１００Ａにおいて、音声コンテンツの再生処理が以下のようにして行われる。
【００８６】
利用者が、操作入力ユニット１５０に音声コンテンツを指定した再生指令を入力すると、その旨が、操作入力データＩＰＤとして、制御処理部１１１へ送られる。この再生指令を受けると、制御処理部１１１は、読取指令ＣＳＬを音源ユニット１２０へ向けて発行し、コンテンツデータＣＴＤの読み取りを制御する。かかる制御のもとで、音源ユニット１２０から読み取られたコンテンツデータＣＴＤは、チャンネル分離部１１２へ送られる。コンテンツデータＣＴＤを受けたチャンネル分離部１１２は、コンテンツデータＣＴＤを展開し、５．１チャンネルサラウンド方式におけるＣ〜ＳＷチャンネルに対応する６個の分離チャンネル信号ＳＣＤC〜ＳＣＤSWに分離する。このようにして分離された分離チャンネル信号ＳＣＤC〜ＳＣＤSWは、信号加工部１１３Ａへ送られる（図１参照）。
【００８７】
信号加工部１１３Ａでは、上述した加工態様の変更処理中を除いて、制御処理部１１１が発行した加工制御信号ＭＤＣを構成する個別加工制御信号ＭＤＣC〜ＭＤＣSWによる加工態様の指定に従って、個別加工部２２１ＡC〜２２１ＡSWが、分離チャンネル信号ＳＣＤC〜ＳＣＤSWに対して音響加工処理を施して、チャンネル処理信号ＰＣＤC〜ＰＣＤSWを生成する。こうして生成されたチャンネル処理信号ＰＣＤC〜ＰＣＤSWは、アナログ処理部１１４へ送られる（図１参照）。
【００８８】
この後、チャンネル処理信号ＰＣＤC〜ＰＣＤSWは、ＤＡ変換部２４１においてアナログ信号に変換される。引き続き、音量調整部２４２が、制御処理部１１１からの音量調整指令ＶＬＣに従って、ＤＡ変換部２４１からのアナログ信号に対して音量調整処理を施し、音量調整信号として、パワー増幅部２４３へ送る（図８参照）。
【００８９】
音量調整信号を受けたパワー増幅部２４３は、音量調整信号をパワー増幅して、音声出力信号ＡＯＳC〜ＡＯＳSWを生成し、スピーカ１３０C〜１３０SWへ送る。そして、スピーカ１３０C〜１３０SWが、音声出力信号ＡＯＳC〜ＡＯＳSWに従って、音声を再生出力する。
【００９０】
以上説明したように、本第１実施形態では、音響効果の加工態様の変更対象チャンネルにおける加工態様を変更するに際して、まず、制御処理部１１１が、変更対象チャンネルに対応するスピーカへの変更対象チャンネル信号の振分率を、１から連続的に減少させるとともに、２つの他スピーカへの変更対象チャンネル信号の振分率を、０から連続的に増加させる第１段階制御を行う。この第１段階制御により、変更対象チャンネルに対応するスピーカへの変更対象チャンネル信号の振分率が所定値以下となった時点で、制御処理部１１１が、第１段階制御を終了し、変更対象チャンネル用の加工演算部における加工態様の変更を設定する第２段階制御を行う。その後、制御処理部１１１が、変更対象チャンネルに対応するスピーカへの変更対象チャンネル信号の振分率を、１まで連続的に増加させるとともに、２つの他スピーカへの変更対象チャンネル信号の振分率を、０まで連続的に減少させる第３段階制御を行う。
【００９１】
したがって、本第１実施形態によれば、簡易な構成で、音響加工の態様の変更時における聴取者の違和感の発生を抑制することができる。
【００９２】
また、本第１実施形態では、振分率のそれぞれは、変更対象チャンネルに対応するスピーカの配置位置と、変更対象チャンネルの音声が振り分けられる２つの他スピーカの配置位置と、想定聴取位置との関係を考慮して定められる。このため、音響効果の変更時における聴取者の違和感の発生を抑制することができる。
【００９３】
［第２実施形態］
次に、本発明の第２実施形態を、主に図１１〜図１４を参照して説明する。なお、本第２実施形態においても、上述した第１実施形態の場合と同様に、５．１チャンネルサラウンド方式を採用する場合を例示して説明する。
【００９４】
＜構成＞
本第２実施形態では、上述した第１実施形態と比べて、信号加工部１１３Ａに代えて、図１１に示される構成の信号加工部１１３Ｂを備える点が異なっている。かかる構成の本第２実施形態の音響装置を、音響装置１００Ｂと記すものとする。
【００９５】
上記の信号加工部１１３Ｂは、上述した信号加工部１１３Ａと比べて、振分処理部２１０Ａに代えて、振分処理部２１０Ｂを備えるとともに、加工処理部２２０Ａに代えて、加工処理部２２０Ｂを備える点が異なっている。ここで、振分処理部２１０Ｂは、振分処理部２１０Ａと比べて、個別振分部２１１ＡC〜２１１ＡSWに代えて、個別振分部２１１ＢC〜２１１ＢSWを備える点が異なっている。また、加工処理部２２０Ｂは、加工処理部２２０Ａと比べて、個別加工部２２１ＡC〜２２１ＡSWに代えて、個別加工部２２１ＢC〜２２１ＢSWを備える点が異なっている。
【００９６】
上記の個別振分部２１１Ｂj（ｊ＝Ｃ〜ＳＷ）のそれぞれは、チャンネル分離部１１２からの分離チャンネル信号ＳＣＤjを受けるとともに、制御処理部１１１からの振分制御信号ＤＳＣの一部である振分制御信号ＤＳＢjを受ける。ここで、振分制御信号ＤＳＢjは、上述した個別振分制御信号ＤＳＣj,1と個別振分制御信号ＤＳＣj,2とから構成されている。
【００９７】
個別振分部２１１Ｂjは、分離チャンネル信号ＳＣＤjを、振分制御信号ＤＳＢjによる振分指定に従って振り分け、振分信号ＤＢＤjを生成する。かかる機能を有する個別振分部２１１Ｂjは、図１２に示されるように、第２乗算手段としての乗算部２１６1，２１６2を備えている。
【００９８】
個別振分部２１１Ｂjは、上述した個別振分部２１１Ａjと比べて、個別振分信号ＤＳＤj,0に代えて、分離チャンネル信号ＳＣＤjをそのまま出力することが異なっている。この結果、振分信号ＤＢＤjは、分離チャンネル信号ＳＣＤjと、個別振分信号ＤＳＤj,1，ＤＳＤj,2とから構成されるようになっている。
【００９９】
なお、以下の説明においては、個別振分信号ＤＳＤj,k（ｋ＝１〜２）を、「個別振分信号ＱＢＤp,j（ｐ≠ｊ）」とも記すものとする、ここで、個別振分信号ＱＢＤp,jは、ｐチャンネル信号のｊチャンネルへの振分信号を意味している。また、分離チャンネル信号ＳＣＤjと個別振分信号ＱＢＤp,jとをまとめて、「振分信号ＱＢＤj」と記すものとする、
【０１００】
すなわち、振分信号ＱＢＤCは、分離チャンネル信号ＳＣＤCのみから構成されている。振分信号ＱＢＤLは、分離チャンネル信号ＳＣＤLと、３個の個別振分信号ＱＢＤC,L，ＱＢＤR,L，ＱＢＤSL,Lとから構成されている。
【０１０１】
振分信号ＱＢＤRは、分離チャンネル信号ＳＣＤRと、３個の個別振分信号ＱＢＤC,R，ＱＢＤL,R，ＱＢＤSR,Rとから構成されている。振分信号ＱＢＤSLは、分離チャンネル信号ＳＣＤSLと、３個の個別振分信号ＱＢＤL,SL，ＱＢＤSR,SL，ＱＢＤSW,SLから構成されている。
【０１０２】
振分信号ＱＢＤSRは、分離チャンネル信号ＳＣＤSRと、３個の個別振分信号ＱＢＤR,SR，ＱＢＤSL,SR，ＱＢＤSW,SRから構成されている。振分信号ＱＢＤSWは、分離チャンネル信号ＳＣＤSWのみから構成されている。
【０１０３】
図１１に戻り、上記の加工処理部２２０Ｂは、振分処理部２１０Ｂからの振分信号ＱＢＤC〜ＱＢＤSWを受けるとともに、個別加工制御信号ＭＤＣC〜ＭＤＣSWから構成される加工制御信号ＭＤＣ、及び、振分制御信号ＤＳＣの一部である個別振分制御信号ＤＳＣC,0〜ＤＳＣSW,0を受ける。そして、加工処理部２２０Ｂは、チャンネル処理信号ＰＣＤC〜ＰＣＤSWを生成する。
【０１０４】
かかる機能を有する加工処理部２２０Ｂを構成する個別加工部２２１Ｂj（ｊ＝Ｃ〜ＳＷ）のそれぞれは、振分信号ＱＢＤjを受けるとともに、個別加工制御信号ＭＤＣj及び個別振分制御信号ＤＳＣj,0を受ける。そして、個別加工部２２１Ｂjは、チャンネル処理信号ＰＣＤjを生成する。こうして生成されたチャンネル処理信号ＰＣＤjは、アナログ処理部１１４へ送られる。
【０１０５】
上記の個別加工部２２１Ｂj（ｊ＝Ｃ〜ＳＷ）のうちの個別加工部２２１Ｂq（ｑ＝Ｃ，ＳＷ）のそれぞれは、図１３に示されるように、加工手段としての加工演算部２２５qと、第１乗算手段としての乗算部２２７とを備えている。
【０１０６】
上記の加工演算部２２５qは、本第２実施形態では、振分信号ＱＢＤq、すなわち、分離チャンネル信号ＳＣＤqを受けるとともに、個別加工制御信号ＭＤＣqを受ける。そして、加工演算部２２５qは、個別加工制御信号ＭＤＣqにより指定された加工パラメータの値に従って、周波数特性、ラウドネス特性、位相特性等に関する加工処理を分離チャンネル信号ＳＣＤqに施す。加工演算部２２５qによる加工結果は、乗算部２２７へ送られる。
【０１０７】
上記の個別加工部２２１Ｂqにおける乗算部２２７は、加工演算部２２５qによる加工結果と、制御処理部１１１からの個別振分制御信号ＤＳＣq,0とを受ける。そして、当該乗算部２２７は、個別振分制御信号ＤＳＣq,0により指定された個別振分係数ＤＣＣq,0を当該加工結果に乗じて、チャンネル処理信号ＰＣＤqを生成する。
【０１０８】
個別加工部２２１Ｂj（ｊ＝Ｃ〜ＳＷ）のうちの個別加工部２２１Ｂr（ｒ＝Ｌ〜ＳＲ）のそれぞれは、図１４に示されるように、加算手段としての加算部２２６と、加工手段としての加工演算部２２５rと、第１乗算手段としての乗算部２２７とを備えている。
【０１０９】
上記の個別加工部２２１Ｂrにおける加算部２２６は、振分信号ＱＢＤrを受ける。そして、当該加算部２２６は、振分信号ＱＢＤrに含まれる４個の個別振分信号を加算する。当該加算部２２６による加算結果は、加工演算部２２５rへ送られる。なお、図１４においては、振分信号ＱＢＤrに含まれる分離チャンネル信号ＳＣＤr以外の３個の個別振分信号が、個別振分信号ＱＢＤy1,r〜ＱＢＤy3,rと表記されている。
【０１１０】
上記の個別加工部２２１Ｂrにおける加工演算部２２５rは、上述した第１実施形態の場合と同様に、加算部２２６による加算結果を受けるとともに、制御処理部１１１からの個別加工制御信号ＭＤＣrを受ける。そして、当該加工演算部２２５rは、個別加工制御信号ＭＤＣrにより指定された加工パラメータの値に従って、周波数特性、ラウドネス特性、位相特性等に関する加工処理を振分信号ＱＢＤrに施す。当該加工演算部２２５rによる加工結果は、乗算部２２７へ送られる。
【０１１１】
上記の個別加工部２２１Ｂrにおける乗算部２２７は、加工演算部２２５rによる加工結果を受けるとともに、個別振分制御信号ＤＳＣr,0を受ける。そして、当該乗算部２２７は、個別振分制御信号ＤＳＣr,0により指定された振分係数ＤＣＣr,0を当該加工結果に乗じて、チャンネル処理信号ＰＣＤrを生成する。
【０１１２】
以上のように構成される信号加工部１１３Ｂにおいては、チャンネル処理信号ＰＣＤjの生成に際して、上述した信号加工部１１３Ａにおける個別振分部２１１jの乗算部２１６0が果たす役割を、個別加工部２２１Ｂjの乗算部２２７が果たすようになっている。
【０１１３】
＜動作＞
上記のように構成された音響装置１００Ｂは、上述したように、チャンネル処理信号ＰＣＤjの生成に際して、第１実施形態における個別振分部２１１Ａjの乗算部２１６0が果たす役割を、個別加工部２１１Ｂjの乗算部２２７が果たすことを除いて、第１実施形態の音響装置１００Ａと同様に動作して、分離チャンネル信号ＳＣＤC〜ＳＣＤSWに対する加工態様の変更処理及び音声コンテンツの再生処理が行われる。
【０１１４】
したがって、本第２実施形態によれば、上述した第１実施形態の場合と同様に振分係数の設定が行われることにより、第１実施形態の場合と同様に、簡易な構成で、音響加工の態様の変更時における聴取者の違和感の発生を抑制することができる。
【０１１５】
［第３実施形態］
次に、本発明の第３実施形態を、主に図１５を参照して説明する。なお、本第３実施形態においても、上述した第１及び第２実施形態の場合と同様に、５．１チャンネルサラウンド方式を採用する場合を例示して説明する。
【０１１６】
＜構成＞
本第３実施形態では、上述した第２実施形態と比べて、個別加工部２２１Ｂr（ｒ＝Ｌ，Ｒ，ＳＬ，ＳＲ）に代えて、図１５に示される構成の個別加工部２２１Ｃrを備える点が異なっている。かかる構成の本第３実施形態の音響装置を、音響装置１００Ｃと記すものとする。
【０１１７】
上記の個別加工部２２１Ｃrは、上述した個別加工部２２１Ｂrと同様に、加算部２２６と、加工演算部２２５rと、乗算部２２７とを備えている。
【０１１８】
個別加工部２２１Ｃrにおける加工演算部２２５rは、振分信号ＱＢＤrにおける分離チャンネル信号ＳＣＤrを受けるとともに、制御処理部１１１からの個別加工制御信号ＭＤＣrを受ける。そして、当該加工演算部２２５rは、個別加工制御信号ＭＤＣrにより指定された加工パラメータの値に従って、周波数特性、ラウドネス特性、位相特性等に関する加工処理を分離チャンネル信号ＳＣＤrに施す。当該加工演算部２２５rによる加工結果は、加算部２２６へ送られる。
【０１１９】
個別加工部２２１Ｃrにおける加算部２２６は、加工演算部２２５rによる加工結果と、振分信号ＱＢＤrにおける分離チャンネル信号ＳＣＤr以外の３個の個別振分信号を受ける。そして、当該加算部２２６は、受信した４個の信号を加算する。当該加算部２２６による加算結果は、乗算部２２７へ送られる。
【０１２０】
個別加工部２２１Ｃrにおける乗算部２２７は、加算部２２６による加算結果を受けるとともに、制御処理部１１１からの個別振分制御信号ＤＳＣr,0を受ける。そして、当該乗算部２２７は、個別振分制御信号ＤＳＣr,0により指定された振分係数ＤＣＣr,0を当該加算結果に乗じて、チャンネル処理信号ＰＣＤrを生成する。
【０１２１】
本第３実施形態においても、上述した第２実施形態の場合と同様に、チャンネル処理信号ＰＣＤjの生成に際して、上述した信号加工部１１３Ａにおける個別振分部２１１Ａjの乗算部２１６0が果たす役割を、個別加工部２２１Ｃjの乗算部２２７が果たすようになっている。
【０１２２】
＜動作＞
上記のように構成された音響装置１００Ｃは、チャンネル処理信号ＰＣＤr（ｒ＝Ｌ，Ｒ，ＳＬ，ＳＲ）の生成に際して、上述した第２実施形態における個別加工部２２１Ｂrが、加算の後に、加工演算及び振分係数の乗算を順次行うのに対して、個別加工部２２１Ｃrが、加工演算の後に、加算及び振分係数の乗算を行う。この点以外は、第２実施形態の音響装置１００Ｂと同様に動作して、分離チャンネル信号ＳＣＤC〜ＳＣＤSWに対する加工態様の変更処理及び音声コンテンツの再生処理が行われる。
【０１２３】
したがって、本第３実施形態によれば、上述した第１及び第２実施形態の場合と同様に行われる振分係数の設定が行われることにより、第１及び第２実施形態の場合と同様に、簡易な構成で、音響加工の態様の変更時における聴取者の違和感の発生を抑制することができる。
【０１２４】
［第４実施形態］
次に、本発明の第４実施形態を、主に図１６を参照して説明する。なお、本第４実施形態においても、上述した第１〜第３実施形態の場合と同様に、５．１チャンネルサラウンド方式を採用する場合を例示して説明する。
【０１２５】
＜構成＞
本第４実施形態では、上述した第２実施形態と比べて、個別加工部２２１Ｂr（ｒ＝Ｌ，Ｒ，ＳＬ，ＳＲ）に代えて、図１６に示される構成の個別加工部２２１Ｄrを備える点が異なっている。かかる構成の本第４実施形態の音響装置を、音響装置１００Ｄと記すものとする。
【０１２６】
上記の個別加工部２２１Ｄrは、上述した個別加工部２２１Ｂrと同様に、加算部２２６と、加工演算部２２５rと、乗算部２２７とを備えている。
【０１２７】
個別加工部２２１Ｄrにおける加工演算部２２５rは、振分信号ＱＢＤrにおける分離チャンネル信号ＳＣＤrを受けるとともに、制御処理部１１１からの個別加工制御信号ＭＤＣrを受ける。そして、当該加工演算部２２５rは、個別加工制御信号ＭＤＣrにより指定された加工パラメータの値に従って、周波数特性、ラウドネス特性、位相特性等に関する加工処理を分離チャンネル信号ＳＣＤrに施す。当該加工演算部２２５rによる加工結果は、乗算部２２７へ送られる。
【０１２８】
個別加工部２２１Ｄrにおける乗算部２２７は、加工演算部２２５rによる加工結果を受けるとともに、制御処理部１１１からの個別振分制御信号ＤＳＣr,0を受ける。そして、当該乗算部２２７は、個別振分制御信号ＤＳＣr,0により指定された振分係数ＤＣＣr,0を当該加工結果に乗じる。当該乗算部２２７による乗算結果は、加算部２２６へ送られる。
【０１２９】
個別加工部２２１Ｄrにおける加算部２２６は、乗算部２２７による乗算結果と、振分信号ＱＢＤrにおける分離チャンネル信号ＳＣＤr以下の３個の個別振分信号とを受ける。そして、当該加算部２２６は、受信した４個の信号を加算して、チャンネル処理信号ＰＣＤrを生成する。
【０１３０】
本第４実施形態においても、上述した第２及び第３実施形態の場合と同様に、チャンネル処理信号ＰＣＤjの生成に際して、上述した信号加工部１１３Ａにおける個別振分部２１１Ａjの乗算部２１６0が果たす役割を、個別加工部２２１Ｄjの乗算部２２７が果たすようになっている。
【０１３１】
＜動作＞
上記のように構成された音響装置１００Ｄは、チャンネル処理信号ＰＣＤr（ｒ＝Ｌ，Ｒ，ＳＬ，ＳＲ）の生成に際して、上述した第２実施形態における個別加工部２２１Ｂrが、加算の後に、加工演算及び振分係数の乗算を順次行うのに対して、個別加工部２２１Ｄrが、加工演算の後に、振分係数の乗算及び加算を順次行う。この点以外は、第２実施形態の音響装置１００Ｂと同様に動作して、分離チャンネル信号ＳＣＤC〜ＳＣＤSWに対する加工態様の変更処理及び音声コンテンツの再生処理が行われる。
【０１３２】
したがって、本第４実施形態によれば、上述した第１〜第３実施形態の場合と同様に行われる振分係数の設定が行われることにより、第１〜第３実施形態の場合と同様に、簡易な構成で、音響加工の態様の変更時における聴取者の違和感の発生を抑制することができる。
【０１３３】
［実施形態の変形］
本発明は、上記の実施形態に限定されるものではなく、様々な変形が可能である。
【０１３４】
例えば、上記の第１〜第４実施形態では、５．１チャンネルサラウンド方式で音声を出力する音響装置に本発明を適用した。これに対して、スピーカの数を、例えば、２チャンネル以上のチャンネル数のステレオ方式又はマルチチャンネルサラウンド方式を採用する音響装置であれば、本発明を適用することができる。
【０１３５】
また、上記の第１〜４実施形態では、加工態様の変更対象チャンネルの信号を、当該変更対象チャンネル及び他の２チャンネルに振り分けるようにした。これに対し、加工態様の変更対象チャンネルの信号が振り分けられる他のチャンネルの数は、１以上であれば、任意の数とすることができる。
【０１３６】
また、上記の第１〜４実施形態では、Ｃ，ＳＷチャンネルへの他のチャンネルの信号の振分を行わないようにしたが、ＣスピーカやＳＷチャンネルの各スピーカの再生出力能力が十分である場合には、Ｃ，ＳＷチャンネルへの他のチャンネルの信号の振分を行うようにしてもよい。
【０１３７】
また、上記の第１〜４実施形態では、Ｃ〜ＳＷチャンネルの全てについて加工態様の変更を行うことを想定したが、加工態様の変更を行うことがないチャンネルが存在する場合には、それらのチャンネルに関する加工用資源及び振分用資源を省略することができる。
【０１３８】
なお、上記の第１及び第２実施形態における信号処理ユニットを中央処理装置（ＣＰＵ：Central Processor Unit）やＤＳＰ（Digital Signal Processor）を備えるコンピュータシステムとして構成し、制御処理部、チャンネル分離部、信号加工部の機能を、プログラムの実行によっても実現するようにすることができる。これらのプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図面の簡単な説明】
【０１３９】
【図１】本発明の第１実施形態に係る音響装置の構成を概略的に示すブロック図である。
【図２】図１の６つのスピーカの配置位置を説明するための図である。
【図３】図１の信号加工部の構成を示すブロック図である。
【図４】図１の装置におけるチャンネル音声の振分先を説明するための図である。
【図５】図３の個別振分部の構成を示すブロック図である。
【図６】図３のＣ，ＳＷチャンネル用の個別加工部の構成を示すブロック図である。
【図７】図３のＬ，Ｒ，ＳＬ，ＳＲチャンネル用の個別加工部の構成を示すブロック図である。
【図８】図１のアナログ処理部の構成を示すブロック図である。
【図９】加工態様の変更処理を説明するためのフローチャートである。
【図１０】加工態様の変更処理中における個別振分係数の時間変化の例を示す図である。
【図１１】本発明の第２実施形態に係る音響装置における信号加工部の構成を示すブロック図である。
【図１２】図１１の個別振分部の構成を示すブロック図である。
【図１３】図１１のＣ，ＳＷチャンネル用の個別加工部の構成を示すブロック図である。
【図１４】図１１のＬ，Ｒ，ＳＬ，ＳＲチャンネル用の個別加工部の構成を示すブロック図である。
【図１５】本発明の第３実施形態に係る音響装置におけるＬ，Ｒ，ＳＬ，ＳＲチャンネル用の個別加工部の構成を示すブロック図である。
【図１６】本発明の第４実施形態に係る音響装置におけるＬ，Ｒ，ＳＬ，ＳＲチャンネル用の個別加工部の構成を示すブロック図である。
【符号の説明】
【０１４０】
１００Ａ            …  音響装置
１１１              …  制御処理部（制御手段）
１３０C〜１３０SW   …  スピーカ
２１６0             …  乗算部（第１乗算手段）
２１６1，２１６2    …  乗算部（第２乗算手段）
２２５C〜２２５SW   …  加工演算部（加工手段）
２２６              …  加算部（加算手段）
２２７              …  乗算部（第１乗算手段）
【図１】
2010103792.tif 000003
【図２】
2010103792.tif 000004
【図３】
2010103792.tif 000005
【図４】
2010103792.tif 000006
【図５】
2010103792.tif 000007
【図６】
2010103792.tif 000008
【図７】
2010103792.tif 000009
【図８】
2010103792.tif 000010
【図９】
2010103792.tif 000011
【図１０】
2010103792.tif 000012
【図１１】
2010103792.tif 000013
【図１２】
2010103792.tif 000014
【図１３】
2010103792.tif 000015
【図１４】
2010103792.tif 000016
【図１５】
2010103792.tif 000017
【図１６】
2010103792.tif 000018